(57)【要約】換気制御装置（２）は、換気装置と宅内ネットワークを介して通信する宅内通信モジュールと、建物外に設けられた外部サーバと外部ネットワークを介して通信する外部通信モジュールと、外部通信モジュールを介した外部サーバとの通信の可否を判定する判定部（７７）と、判定部（７７）の判定結果に基づいて換気装置の制御方法を決定する制御決定部（７８）と、制御決定部（７８）が決定した制御方法に基づいて換気装置を制御する換気動作制御部（７６）と、を備えた換気制御装置（２）を提供する。
2017159208.tif 000002
【特許請求の範囲】
【請求項１】
建物の内外の間で空気を搬送可能な複数の換気装置と通信可能に接続され複数の前記換気装置の動作を制御する換気制御装置であって、
前記換気装置と宅内ネットワークを介して通信する宅内通信モジュールと、
前記建物の外に設けられた外部サーバと外部ネットワークを介して通信する外部通信モジュールと、
前記外部通信モジュールを介した前記外部サーバとの通信の可否を判定する判定部と、
前記判定部の判定結果に基づいて前記換気装置の制御方法を決定する制御決定部と、
前記制御決定部が決定した制御方法に基づいて前記換気装置を制御する換気動作制御部と、を備えた換気制御装置。
【請求項２】
前記外部通信モジュールが前記外部サーバに接続していない場合における前記換気装置の制御仕様である非接続時制御プログラムを記憶する非接続時制御記憶部と、
前記外部通信モジュールが前記外部サーバに接続している場合における前記換気装置の制御仕様である接続時制御プログラムを記憶する接続時制御記憶部と、を備え、
前記換気動作制御部は、
前記判定部により前記外部通信モジュールが前記外部サーバと接続されていないと判定された場合には前記制御決定部により決定された前記非接続時制御プログラムに基づいて前記換気装置を制御し、
前記判定部により前記外部サーバと接続されていると判定された場合には前記制御決定部により決定された前記接続時制御プログラムに基づいて前記換気装置を制御する請求項１に記載の換気制御装置。
【請求項３】
前記接続時制御プログラムに基づく前記換気動作制御部の制御は、
前記外部サーバに保存された前記接続時制御プログラムを取得し、前記外部サーバに保存された前記接続時制御プログラムに基づいて前記換気装置を制御する請求項２に記載の換気制御装置。
【請求項４】
前記接続時制御プログラムに基づく前記換気動作制御部の制御は、
複数の前記換気装置のうちの第１の換気装置の動作に関する情報を前記外部サーバに送信し、
前記外部サーバから複数の前記換気装置のうちの第２の換気装置の動作の変更に関する情報を取得し、
前記変更に関する情報に基づいて前記第２の換気装置の動作を変更する命令を前記第２の換気装置に送信する請求項２に記載の換気制御装置。
【請求項５】
所定時間以内に排気すべき排気量の総量である目標排気総量を記憶する目標排気総量記憶部と、
前記換気制御装置に接続された少なくとも１つの前記換気装置それぞれの排気能力を記憶する排気能力記憶部と、
前記換気制御装置に接続された少なくとも１つの前記換気装置それぞれが排気した既排気量を取得する排気量取得部と、
前記排気量取得部が取得した既排気量を積算して既排気総量を算出する積算部と、
前記積算部が積算した前記既排気総量と前記目標排気総量記憶部が記憶する前記目標排気総量と前記所定時間に到達するまでの残時間と前記排気能力記憶部が記憶する前記換気装置の排気能力とに基づいて前記残時間以内に前記目標排気総量の排気を達成するように、前記換気制御装置に接続された少なくとも１つの前記換気装置を制御する排気量制御部と、
を備えた請求項１に記載の換気制御装置。
【請求項６】
前記排気量制御部は、
前記排気能力で前記目標排気総量を達成するための最短排気時間を算出する最短排気時間算出部と、
少なくとも前記所定時間に到達するよりも前記最短排気時間以上前のタイミングで前記積算部が算出した前記既排気総量と前記目標排気総量とに基づいて前記目標排気総量に到達するまでに必要な残りの排気総量である残排気総量を算出する残排気総量算出部と、
前記残排気総量算出部が算出した残排気総量を基に、前記換気制御装置に接続された少なくとも１つの前記換気装置のオン時間を設定する排気設定部と、
を備えた請求項５記載の換気制御装置。
【請求項７】
前記残時間と少なくとも１つの前記換気装置それぞれの単位時間あたりのエネルギー効率及び前記エネルギー効率に対応する排気量とに基づいて、前記残時間で前記目標排気総量の排気を達成させ、且つ最も前記エネルギー効率が高い少なくとも１つの前記換気装置の制御パターンを演算する演算部を備え、
前記排気設定部は、
前記演算部の演算結果に基づいて接続された少なくとも１つの前記換気装置を制御する請求項５に記載の換気制御装置。
【請求項８】
建物の内外の間で空気を搬送可能な複数の換気装置と、
前記換気装置と通信可能に接続され、複数の前記換気装置の動作を制御する換気制御装置とを備えた換気システムであって、
前記換気制御装置は、
前記換気装置と宅内ネットワークを介して通信する宅内通信モジュールと、
前記建物の外に設けられた外部サーバと外部ネットワークを介して通信する外部通信モジュールと、
前記外部通信モジュールを介した前記外部サーバとの通信の可否を判定する判定部と、
前記判定部の判定結果に基づいて前記換気装置の制御方法を決定する制御決定部と、
前記制御決定部が決定した制御方法に基づいて前記換気装置を制御する換気動作制御部と、を備え、
前記換気装置は、
モータと、
前記モータを制御するモータ制御回路とを備え、
前記モータ制御回路は、
上段と下段からなり、相反するＯＮ／ＯＦＦ動作を行う２つのスイッチング素子を直流電圧に直列に接続してなる三つのアームを三相ブリッジ状に結線し、三相ＰＷＭ方式の交流電圧を前記モータに印加するインバータ回路と、
前記インバータ回路の各相の下段と負電位側の間に相ごとに挿入したシャント抵抗と、
前記シャント抵抗の端子間電圧を増幅する増幅部と、
前記増幅部の出力から前記モータに流れる各相の電流を検出する電流検出部と、
前記電流検出部で検出された電流に基づいて前記モータの回転数を検出する回転検出部と、
前記電流検出部で検出した各相の電流値のうちいずれか１相の電流値と目標風量に対応する目標電流値とを比較するとともに、前記回転検出部で検出される回転数と前記目標風量に対応する目標回転数とを比較する風量演算部と、
前記風量演算部の比較結果に基づいて、前記インバータ回路に対してデューティを可変させて前記モータの回転数を制御する速度制御部と、を備えた換気システム。
【発明の詳細な説明】
【技術分野】
【０００１】
本発明は、換気制御装置及び換気システムに関する。
【背景技術】
【０００２】
住宅等の建物内に、外部から空気を取り込んだり、外部に空気を排出したりする換気装置を複数有する換気システムが知られている（例えば特許文献１参照）。【０００３】
特許文献１に記載の換気システムは、屋外温度センサの測定温度が、予め設定された範囲内の場合に換気装置の一例としての排気用送風機の運転を停止させ、予め設定された範囲外の場合に排気用送風機を運転させる集中管理装置を有する。集中管理装置には、建物内の居室の空気を建物外に排気する排気用送風機の他、浴室や洗面所などのサニタリー排気装置、レンジフードファンや空調設備が通信回線によって有線接続されている。そして、集中管理装置は、排気用送風機を停止させた際には換気装置の一例としてのサニタリー排気装置やレンジフードファンを運転させ、排気用送風機を運転する際にはサニタリー排気装置やレンジフードファンを停止させるようになっている。これにより、排気が必要に応じて行われることで２４時間換気が実施され、過剰な排気を抑えることが可能となるため、空調エネルギーのロスが抑えられるようになっている。
【先行技術文献】
【特許文献】
【０００４】
【特許文献１】特開２０１６−８７９４号公報
【発明の概要】
【０００５】
ところで、上記のような住宅等に用いられる換気システムでは、各制御対象機器の制御を統括する換気制御装置に対して複数の換気装置が接続されている。そのため、換気制御装置は、各換気装置を連動して制御することが可能となっている。また、例えば利用する換気装置が複数のメーカーから構成されているような場合には、外部サーバを利用することで、メーカーが異なる換気装置を連携させて制御している。
【０００６】
しかしながら、例えば新築住宅に代表されるように、換気制御装置は、入居時には外部ネットワークと接続されていないのが通常である。このため、換気装置が複数のメーカーから構成されている、つまり、外部サーバを利用して換気装置を連携させる仕組みの場合には、換気制御装置の連携機能を提供できず、各換気装置は、単なる換気装置としてしか機能しない。そして、入居後であってユーザが外部ネットワークを契約し、換気制御装置を外部ネットワークと接続した後に、例えば施工業者が改めて外部サーバ接続のための設定を、換気制御装置に対して行う必要がある。
【０００７】
そこで本発明は、上記課題を解決するためになされたものであって、その目的は、外部サーバへの接続状況に応じて動的に換気装置の制御を変更する換気制御装置を提供することにある。
【０００８】
上記課題を解決するために、本発明に係る換気制御装置は、建物の内外の間で空気を搬送可能な複数の換気装置と通信可能に接続され、複数の換気装置の動作を制御する換気制御装置である。換気制御装置は、換気装置と宅内ネットワークを介して通信する宅内通信モジュールと、建物の外に設けられた外部サーバと外部ネットワークを介して通信する外部通信モジュールと、を備える。さらに、換気制御装置は、外部通信モジュールを介した外部サーバとの通信の可否を判定する判定部と、判定部の判定結果に基づいて換気装置の制御方法を決定する制御決定部と、制御決定部が決定した制御方法に基づいて換気装置を制御する換気動作制御部と、を備える。
【０００９】
本発明に係る換気制御装置によれば、外部サーバに接続できない場合であっても接続した換気装置を個別で制御でき、外部サーバに接続できる場合には換気装置を連携制御させることができる。
【図面の簡単な説明】
【００１０】
【図１】図１は、実施の形態に係る宅内ネットワークの接続概略図である。
【図２】図２は、実施の形態に係る外部ネットワークを介して接続される換気制御装置と外部サーバの概略図である。
【図３】図３は、実施の形態に係る換気制御装置の概略機能ブロック図である。
【図４】図４は、実施の形態に係る換気制御装置の構成図である。
【図５】図５は、実施の形態に係る換気制御装置によって制御される換気装置の動作の一例を示すグラフである。
【図６】図６は、実施の形態に係る換気装置の概略機能ブロック図である。
【図７】図７は、実施の形態に係る排気装置の機能提供部の構成図である。
【図８】図８は、実施の形態に係る換気制御装置の外部サーバ接続確認処理を示すフローチャートである。
【図９】図９は、実施の形態に係る換気制御装置の非接続時制御処理を示すフローチャートである。
【図１０】図１０は、実施の形態に係る換気装置の提供情報の一例を示す図である。
【図１１】図１１は、実施の形態に係る換気制御装置が選択する換気装置の組み合わせを示す図である。
【発明を実施するための形態】
【００１１】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略又は簡略化する。
【００１２】
（実施の形態）
最初に、本発明に係る換気システムの概要について図１、図２を参照しながら説明する。なお、図１は、本実施の形態に係る宅内ネットワークの接続概略図である。図２は、実施の形態に係る外部ネットワークを介して接続される換気制御装置と外部サーバの概略図である。
【００１３】
［換気システム］
本実施の形態に係る換気システムは、換気制御装置２と、排気装置３と、宅内に外気を導入する給気装置７とを備える。
【００１４】
換気制御装置２は、一般住宅１内に設置され、天埋換気扇４、壁掛換気扇６、レンジフード５、給気装置７と、宅内ネットワーク３８を介して通信可能に接続されている。換気制御装置２は、外部サーバ６１と外部ネットワーク６０を介して通信可能に接続されている。換気制御装置２は、例えば宅内に配置される複数の換気装置７０や外部サーバ６１と通信可能に接続されるが、特に有線、無線は限定しない。
【００１５】
排気装置３は、天埋換気扇４、壁掛換気扇６、レンジフード５、熱交換気扇（図示せず）等が該当する。排気装置３は、言い換えると、一般住宅１の内部から外部への排気を行う排気機能を有する装置である。
【００１６】
給気装置７は、熱交換気扇の給気機能や給気ファン等が該当する。給気装置７は、言い換えると、外部から一般住宅１の外部から内部への給気を行う給気機能を有する装置である。ただし、給気装置７は必ずしもファンを備えている必要は無く、例えば宅内外を連通する風路と、当該風路を開閉する開閉部があり、この開閉部を電気的に開閉できるものであればよい。
【００１７】
換気装置７０は、排気装置３と、給気装置７とが該当する。換気装置７０は、言い換えると、排気或いは給気のいずれか一方の機能を少なくとも有する装置である。
【００１８】
情報入力用端末８は、宅内ネットワーク３８または外部ネットワーク６０を介して換気制御装置２と通信可能に接続される。情報入力用端末８は、本実施の形態の換気システムを構成するうえで必要な情報を換気制御装置２に記憶させるもので、携帯電話、スマートフォン、タブレットといった機器が例として挙げられる。
【００１９】
続いて、図３、図４、図５を参照しながら換気制御装置２、天埋換気扇４、壁掛換気扇６、レンジフード５、給気装置７を構成する各機能について説明する。なお、図３は、実施の形態に係る換気制御装置２の概略機能ブロック図である。図４は、実施の形態に係る換気装置２の構成図である。図５は、実施の形態に係る換気制御装置２によって制御される換気装置の動作の一例を示すグラフである。
【００２０】
［換気制御装置］
換気制御装置２は、図３に示すように、通信部９と、記憶部１０と、制御部７３とを備える。そして制御部７３は、換気動作制御部７６と排気量制御部１１とを備える。
【００２１】
通信部９は、情報入力用端末８や外部サーバ６１と通信可能に接続されるブロードバンド用送受信部１２と、個々の換気装置７０からの無線信号を受信する換気用受信部１５と、個々の換気装置７０に運転指示を無線で行う換気用送信部１６とを備えている。つまり、ブロードバンド用送受信部１２が外部通信モジュールに該当する。また、換気用受信部１５と換気用送信部１６とが宅内通信モジュールに該当する。当然ながら、ブロードバンド用送受信部１２と、換気用受信部１５と、換気用送信部１６とは一体として構成してもよく、それぞれの機能を備えていればよい。
【００２２】
換気用受信部１５は、天埋換気扇４及び壁掛換気扇６の送信部２２（図６参照）、レンジフード５の送信部２３（図６参照）、給気装置７の送信部２８（図６参照）から送信される無線信号を受信する。
【００２３】
換気用送信部１６は、制御部７３が各換気装置７０に指示する動作を無線信号として天埋換気扇４及び壁掛換気扇６の受信部２４（図６参照）、レンジフード５の受信部２５（図６参照）、給気装置７の受信部２９（図６参照）へ送信する。
【００２４】
記憶部１０は、非接続時制御記憶部７４と、接続時制御記憶部７５と、目標排気総量記憶部１４と、排気能力記憶部１３とを備え、制御部７３が処理上で扱う情報を必要に応じて読み出し、また書き込みすることができる。
【００２５】
非接続時制御記憶部７４は、換気制御装置２が外部サーバ６１と接続していない場合の、換気装置７０を制御する手順、すなわち制御仕様を非接続時制御プログラムとして記憶している。なお、外部サーバ６１と接続していない場合とは、換気制御装置２が、外部サーバ６１と通信できない場合を意味する。例えば、外部サーバ６１が機能していても、外部ネットワーク６０への接続契約が無い場合や外部ネットワーク６０のトラブルにより、換気制御装置２が外部サーバ６１と通信できない場合も含まれる。
【００２６】
接続時制御記憶部７５は、換気制御装置２が外部サーバ６１と接続している場合の、換気装置７０を制御する手順、すなわち制御仕様を接続時制御プログラムとして記憶している。なお、外部サーバ６１と接続している場合とは、換気制御装置２が、外部サーバ６１と正常に通信できる場合を意味する。
【００２７】
目標排気総量記憶部１４は、情報入力用端末８に入力された宅内の目標排気総量を、通信部９、すなわちブロードバンド用送受信部１２や宅内ネットワーク３８を経由して入手する。言い換えると、例えばユーザが情報入力用端末８を利用して、宅内の目標排気総量を設定することで、目標排気総量記憶部１４にユーザが設定した目標排気総量が記憶される。当然ながら目標排気総量は、各住宅の広さや部屋の数、住宅の気密性、断熱性能等に応じて異なる。よって、目標排気総量は住宅ごとに異なる値が設定されることになる。目標排気総量は、所定時間以内に所定の住宅内から排気すべき排気量の総量である。ここでいう所定時間とは、例えば１日（２４時間）であったり、あるいは３時間であったり環境や法令による取り決めなどにより異なる。よって本実施の形態では、所定時間は、換気装置７０が取り付けられる住宅建物の環境基準や換気基準等の法令、または住宅固有の環境条件によってユーザが任意に設定できる時間とし、一例としてこれを３時間とする。
【００２８】
排気能力記憶部１３は、換気制御装置２に接続される少なくとも１つの排気装置３のそれぞれの排気能力を記憶する。排気能力としては、例えば、排気装置３の単位時間当たりの最大排気量が挙げられる。また、排気装置３の排気能力（排気設定）を複数に設定可能な場合は、排気能力の設定とこの設定における単位時間当たりの排気量とを対応付けて記憶してもよい。排気能力の設定としては、例えば１速、２速や、弱、中、強などがある。排気能力は、例えば情報入力用端末８から入力されてもよいし、制御部７３が、新たに接続された排気装置３に問合せを行うことによって取得し、排気能力記憶部１３に記憶してもよい。また後述する排気量と給気量とのバランスをとる目的のため、排気能力記憶部１３は、給気装置７の給気能力も排気能力同様に記憶してもよい。
【００２９】
換気動作制御部７６は、判定部７７と、制御決定部７８と、変更確認部７９とを備える。
【００３０】
判定部７７は、ブロードバンド用送受信部１２、すなわち外部通信モジュールを介して外部サーバ６１との通信の可否を判定する。ここで、判定部７７は、外部サーバ６１から正常な応答があれば、外部サーバ６１と通信可能、すなわち可と判定する。これに対して、判定部７７は、外部サーバ６１から正常な応答がなければ、外部サーバ６１と通信不可能、すなわち否と判定する。
【００３１】
制御決定部７８は、判定部７７の判定結果に基づいて、換気装置７０の制御方法を決定する。本実施の形態では、制御決定部７８は、判定部７７の判定結果を受信し、外部サーバ６１との通信が可である場合には、接続時制御記憶部７５に格納された接続時制御プログラムを利用した制御方法の採用を決定する。また、制御決定部７８は、外部サーバ６１との通信が否である場合には、非接続時制御記憶部７４に格納された非接続時制御プログラムを利用した制御方法の採用を決定する。
【００３２】
変更確認部７９は、判定部７７が外部サーバ６１との通信を可であると判定した場合、外部サーバ６１にアクセスする。外部サーバ６１には、最新の非接続時制御プログラム、接続時制御プログラム、住宅建物の環境基準や換気基準の法令によって決定される値が保存されている。そして、変更確認部７９は、外部サーバ６１にアクセスして、上記プログラムなどの変更の有無を確認する。そして、上記プログラムなどに変更が確認された場合には、該当するプログラムなどを更新する。具体的には、記憶部１０に記憶される非接続時制御プログラムや接続時制御プログラムを更新する。また、住宅建物の環境基準や換気基準の法令によって決定される値のうち、換気制御に関するものの値に変更が確認された場合には、記憶部１０に記憶された、換気制御に関する値を更新する。換気制御に関する値とは、具体的には、上述の目標排気総量、すなわち所定時間以内に所定の住宅内から排気すべき排気量の総量及びその所定時間などである。
【００３３】
換気動作制御部７６は、制御決定部７８が決定した制御方法に基づいて換気装置７０を制御する。本実施の形態では、換気動作制御部７６は、制御決定部７８にて採用を決定された制御方法、つまり非接続時制御プログラムや接続時制御プログラムを実行することで、換気用送信部１６を介して各換気装置７０に対して制御命令を送信する。なお、具体的な送信内容については後述する。
【００３４】
排気量制御部１１は、排気量取得部１７と、積算部１８と、残排気総量算出部１９と、最短排気時間算出部２０と、排気設定部７１と、演算部７２とを備える。
【００３５】
排気量取得部１７は、換気制御装置２に接続される排気装置３それぞれが既に排気した排気量である既排気量を取得する。ここで既排気量の取得は、例えば以下のように行われる。
【００３６】
すなわち、排気量取得部１７は、排気装置３が排気を開始したタイミングで、単位時間当たりの排気量を排気装置３から通信部９を介して受信する。また、排気量取得部１７は、排気装置３が排気量設定を変更したタイミングで、変更後の単位時間当たりの排気量を排気装置３から通信部９を介して受信する。さらに、排気量取得部１７は、排気装置３が排気を停止したタイミングで、停止した旨を排気装置３から通信部９を介して受信する。これらを受信した排気量取得部１７は、単位時間当たりの排気量と、当該排気量で動作した時間とを掛け算することで、排気装置３が既に排気した既排気量を取得する。
【００３７】
また、別の方法としては、所定の時間間隔で、排気量取得部１７が、各排気装置３に通信部９を介して既排気量の問合せを行ってもよい。これに対して排気装置３が、前回の問合せから今回の問合せまでの間に排気した既排気量を、通信部９を介して排気量取得部１７に返信する。
【００３８】
上記処理を換気制御装置２に接続されている全ての排気装置３に対して行うことにより、排気量取得部１７は、全ての排気装置３の既排気量を取得することができる。
【００３９】
積算部１８は、所定の時間間隔で、排気量取得部１７が取得した全ての既排気量を取得して足し合わせ、すなわち積算する。これにより、換気制御装置２に接続された全ての排気装置３を介して宅内から排気された既排気総量４３（図５参照）を算出することができる。
【００４０】
残排気総量算出部１９は、目標排気総量記憶部１４に記憶された所定時間あたりの目標排気総量から、積算部１８が算出した、既排気総量４３を減算することによって、目標排気総量に対して不足している排気総量である、残排気総量４４（図５参照）を算出する。ここで、残排気総量算出部１９が残排気総量４４を算出するタイミングは、当然、目標排気総量が設定された所定時間よりも短い時間内に行われる。
【００４１】
最短排気時間算出部２０は、排気能力記憶部１３に記憶されている、換気制御装置２に接続された全ての排気装置３の最大排気能力を用いて排気を行った場合の、目標排気総量を達成するまでに必要な時間である最短排気時間４５（図５参照）を算出する。
【００４２】
排気設定部７１は、目標排気総量４６（図５参照）を達成するための所定時間と、既排気総量４３を算出した時間Ｂ（図５参照）とから、目標排気総量４６を達成するための所定時間までの残りの時間である残時間４２（図５参照）を算出する。残時間４２の算出は、図５に示すように、所定時間である時間Ｄ（例えば３時間）と、起点Ａから時間Ｂまでの経過時間（例えば３０分）との差を取ることで行われる。この残時間４２は、すなわち目標排気総量４６を達成するために残された時間である。また、目標排気総量４６に対して不足している排気総量である残排気総量４４は、残排気総量算出部１９によって算出される。これより、換気制御装置２は、残時間４２と残排気総量４４とから、例えば残時間４２の間に平均してどの程度の排気量で排気装置３を動作させればよいかを判断可能となる。なお、残時間４２の間、どのように各排気装置３を動作させるかの詳細については後述するが、例えば全ての排気装置３を、残排気量を排気するまでの時間、最大排気風量で動作させるという制御パターンとしてもよい。これにより、最短時間で目標排気総量４６を達成することが可能となる。当然、他の制約がないのであれば残時間４２の間の排気装置３の動作は、エネルギー効率が高く、すなわち省エネルギーで動作させることが好ましい。このような場合には、演算部７２が、各換気装置７０の消費エネルギーと排気風量とに基づいて各換気装置７０の最適な制御パターンを演算により決定する。制御パターンが決定されると、排気設定部７１は、換気用送信部１６を介して各換気装置７０に動作命令を送信し、制御する。
【００４３】
なお、各部の動作についてはフローチャートを利用して後述する。
【００４４】
換気制御装置２は、図４に示すように、マイクロコンピュータ４０として設けられる。マイクロコンピュータ４０は、内部にＣＰＵ３１（Ｃｅｎｔｒａｌ  Ｐｒｏｃｅｓｓｉｎｇ  Ｕｎｉｔ）、ＲＡＭ３２（Ｒａｎｄｏｍ  Ａｃｃｅｓｓ  Ｍｅｍｏｒｙ）、ＲＯＭ３３（Ｒｅａｄ  Ｏｎｌｙ  Ｍｅｍｏｒｙ）を備え、記憶部１０としてＨＤＤ３４（Ｈａｒｄ  Ｄｉｓｋ  Ｄｒｉｖｅ）を備える。また、マイクロコンピュータ４０は、有線通信モジュール３７及び無線通信モジュール３６を含む。有線通信モジュール３７及び無線通信モジュール３６は、通信部９として機能し、ＣＰＵ３１、ＲＡＭ３２、ＲＯＭ３３、ＨＤＤ３４が内部バス４１を介して接続されている。ＣＰＵ３１は、例えばＲＡＭ３２を作業領域として利用し、ＲＯＭ３３に記憶されているプログラムを実行し、当該実行結果に基づいて記憶部１０や各デバイスとデータや命令を授受することにより各デバイスの動作を制御する。
【００４５】
制御部７３や、当該制御部７３に属する各部は、ＲＯＭ３３やＨＤＤ３４に記憶されているプログラムであり、ＣＰＵ３１に実行されることであらかじめ決められた処理を実行する。ＨＤＤ３４やＲＯＭ３３、ＲＡＭ３２は、必ずしもこれに限らず、メモリとして機能するのであれば他種のメモリを代用可能である。
【００４６】
無線通信モジュール３６、有線通信モジュール３７等のデバイスは、必ずしもマイクロコンピュータ４０に備える必要は無く、外部接続としてもよい。
【００４７】
続いて、図６、図７を参照しながら排気装置３、給気装置７を構成する各機能について説明する。なお図６は、実施の形態に係る換気装置７０の概略機能ブロック図である。図７は、実施の形態に係る排気装置３の機能提供部６６の構成図である。
【００４８】
［排気装置と給気装置］
図６に示すように、排気装置３の一例として挙げられる天埋換気扇４、壁掛換気扇６は、送信部２２と、受信部２４と、記憶部２６とを備える。また、排気装置３の一例であるレンジフード５は、送信部２３と、受信部２５と、記憶部２７とを備える。さらに給気装置７は、送信部２８と、受信部２９と、記憶部３０とを備える。
【００４９】
例えば排気装置３の受信部２４、受信部２５は、換気制御装置２を構成する制御部７３から通信部９を介して動作命令を受信する。排気装置３が受信する動作命令とは、例えば後述の提供情報の送信命令や、目標風量Ｑｓである。給気装置７の受信部２９は、制御部７３から通信部９を介して動作命令を受信する。給気装置７が受信する動作命令とは、例えば提供情報の送信や、通風口の開閉命令である。
【００５０】
送信部２２、送信部２３は、例えば上述の提供情報の送信命令に対して、記憶部２６、記憶部２７から提供すべき提供情報を読み出し、宅内ネットワーク３８を介して換気制御装置２に無線通信で送信する。
【００５１】
記憶部２６、記憶部２７は、換気制御装置２から要求される可能性のある提供情報を記憶する。記憶部２６、記憶部２７が記憶する提供情報は、天埋換気扇４などが運転中か否かを示す運転状況と、運転中であればその排気量設定（弱、中、強など）と、排気量設定に対応する単位時間当たりの排気風量等が挙げられるが、これに限定されない。
【００５２】
なお、天埋換気扇４に限らず、壁掛換気扇６、レンジフード５、給気装置７、その他様々な排気装置、給気装置も換気制御装置２に接続されて機能する際には基本的に上記構成を有する。
【００５３】
また、天埋換気扇４、壁掛換気扇６、レンジフード５は、送風機能を提供する機能提供部６６をさらに備える。
【００５４】
機能提供部６６は、受信部２４や受信部２５を介して換気制御装置２から上述の目標風量Ｑｓを受信すると、当該目標風量Ｑｓに応じた風量で排気を実行する。すなわち図７に示すように、機能提供部６６は、フィン６７と、フィン６７を回転させるセンサレスブラシレスＤＣモータからなるモータ８０と、モータ８０を駆動するモータ制御回路８１を備える。モータ８０は巻線を巻装した固定子８２と磁石を備えた回転子８３からなる。
【００５５】
図７において、モータ制御回路８１は、商用電源ＰＳから供給される交流電圧を、交流変換回路８４にて直流電圧に変換する。変換された直流電圧は、平滑コンデンサ８５にて平滑化され、平滑化された直流電圧が、インバータ回路８６に印加される。インバータ回路８６は６個のスイッチング素子８７ａ〜８７ｆを有しており、各スイッチング素子８７ａ〜８７ｆを制御することで、センサレスブラシレスＤＣモータからなるモータ８０を駆動している。
【００５６】
インバータ回路８６は、第１アーム８８と、第２アーム８９と、第３アーム９０とを三相ブリッジ状に結線して構成される。ここで、第１アーム８８は、スイッチング素子８７ａとスイッチング素子８７ｄとを直列接続してなる。第２アーム８９は、スイッチング素子８７ｂとスイッチング素子８７ｅとを直列接続してなる。第３アーム９０は、スイッチング素子８７ｃとスイッチング素子８７ｆとを直列接続してなる。本実施の形態では、スイッチング素子８７ａ、スイッチング素子８７ｂ、スイッチング素子８７ｃが、各アームの上段に配置されている。また、スイッチング素子８７ｄ、スイッチング素子８７ｅ、スイッチング素子８７ｆが、各アームの下段に配置されている。上段、下段に配置されたスイッチング素子が、交互にＯＮ／ＯＦＦ動作を繰り返すことで、モータ８０の巻線に流れる電流の向きを変化させている。インバータ回路８６は、後述する速度制御部９６から入力されるデューティ比に従って、ＰＷＭ制御される。
【００５７】
また、インバータ回路８６の各相の下段（各アームの下段）と負電位側（モータ制御回路８１のグランド）の間には、相ごとにシャント抵抗９１が挿入されている。増幅部９２は、このシャント抵抗９１に流れる電流により発生する、シャント抵抗９１の両端の電位差を増幅する。
【００５８】
増幅部９２は、増幅したシャント抵抗９１の両端の電位差を電流検出部９３に出力する。電流検出部９３は、増幅部９２から入力された値からモータ８０に流れる各相の電流を検出し、回転検出部９４に出力する。そして、回転検出部９４は、電流検出部９３で検出された電流に基づいてモータ８０の回転数と回転子８３の位置を検出する。
【００５９】
また電流検出部９３で検出した各相の電流値のうちのいずれか１相の電流値及び回転検出部９４で検出した回転数が、比較部としての風量演算部９５に入力される。風量演算部９５は、電流検出部９３で検出した各相の電流値のうちのいずれか１相の電流値及び回転検出部９４が検出した回転数と、目標風量Ｑｓに対応する電流値（目標電流値）及び回転数（目標回転数）とをそれぞれ比較する。つまり、風量演算部９５は、電流検出部９３で検出した各相の電流値のいずれか１相の電流値と目標風量Ｑｓに対応する電流値とを比較し、回転検出部９４が検出した回転数と目標風量Ｑｓに対応する回転数とを比較する。そして、風量演算部９５は、その比較結果に基づいて送風量が目標風量Ｑｓに対して高いか低いかを判断し、その結果を速度制御部９６へ送信する。
【００６０】
目標風量演算部９７は、図３に示す制御部７３から受信部２４や受信部２５を経由して送られてくる目標風量Ｑｓを受信し、この目標風量Ｑｓを風量演算部９５と増幅率変更部９８に送信する。
【００６１】
増幅率変更部９８は、この目標風量Ｑｓの大きさに応じて所定の相の増幅部９２の増幅率を変更する。
【００６２】
速度制御部９６は、風量演算部９５の比較結果に基づいて、インバータ回路８６に対してデューティ比を変更することで、センサレスブラシレスＤＣモータからなるモータ８０の回転数を制御する。そして、モータ８０は、回転数を可変させて必要な風量を出力する。
【００６３】
以上の構成により、排気装置３を構成する機能提供部６６は、排気装置３から建物の外部に繋がるダクトの抵抗（圧損）を変更しなくても、目標風量Ｑｓを与えられるのみで風量を一定に制御できる。
【００６４】
［宅内ネットワーク］
換気制御装置２と排気装置３と給気装置７とを接続する宅内ネットワーク３８は、例えば、Ｄｉｇｉｔａｌ  Ｅｎｈａｎｃｅｄ  Ｃｏｒｄｌｅｓｓ  ＴｅｌｅｃｏｍｍｕｎｉｃａｔｉｏｎｓやＷｉ−ＦＩ（登録商標）方式を用いた無線通信などがある。
【００６５】
[外部サーバ接続確認処理]
続いて、図３及び図８を参照しながら外部サーバ接続確認処理について説明する。なお図８は、実施の形態に係る換気制御装置２の外部サーバ接続確認処理を示すフローチャートである。図８において、Ｓはステップを意味する。ただし、ステップは数値の小さい順に処理されるとは限らない。
【００６６】
換気制御装置２を起動すると、判定部７７は、ブロードバンド用送受信部１２を介して外部サーバ６１にアクセスを試みる（Ｓ１０１）なお、外部サーバ６１のアドレスは、例えばあらかじめ記憶部１０に登録されている。
【００６７】
ここで、外部サーバ６１にアクセスが可能である場合、変更確認部７９は、外部サーバ６１に対して変更の確認を行う（Ｓ１０３）。変更確認の対象は、非接続時制御プログラム、接続時制御プログラム、目標排気総量に関する情報である。ここで、非接続時制御プログラム、接続時制御プログラムの変更は、例えば外部サーバ６１に保存されている各プログラムのバージョンと、記憶部１０に記憶されている各プログラムのバージョンとを比較することで判定される。また目標排気総量に関する情報は、例えば法令で指定された、排気を行う時間である所定時間に関する情報と、当該所定時間内に住宅内から排気すべき排気量に関する情報である。ここでいう所定時間は、例えば３時間であり、排気量は、建物の容量に対する倍数であり、例えば１．５倍等である。
【００６８】
ここで、変更がある場合には、当該変更があるデータ、プログラムを外部サーバ６１から取得し、記憶部１０内のデータ、プログラムを更新する（Ｓ１０４Ｙｅｓ→Ｓ１０５）。保存する場所は、非接続時制御プログラムであれば、非接続時制御記憶部７４、接続時制御プログラムであれば接続時制御記憶部７５、目標排気量であれば記憶部１０内の所定の記憶領域である。
【００６９】
変更が無い場合には、上述の更新は行わない（Ｓ１０４Ｎｏ）。
【００７０】
そして、判定部７７の判定において、外部サーバ６１にアクセスが可能であるため、制御決定部７８は、制御方法として接続時制御の制御を行う決定をする。つまりそして、換気動作制御部７６は、接続時制御プログラムに基づいて、通信部９を介して換気装置７０を制御する（Ｓ１０６）。
【００７１】
他方、判定部７７の判定において、外部サーバ６１にアクセスができない場合、変更確認部７９による変更確認を行うことなく、制御決定部７８は、制御方法として非接続時制御の制御を行う決定をする。そして、換気動作制御部７６は、非接続時制御プログラムに基づいて、換気装置７０を制御する（Ｓ１０２Ｎｏ→Ｓ１０７）。
【００７２】
以上のように、換気制御装置２は、外部サーバ６１への接続状況に応じて動的に換気装置７０の制御を変更できる。このため、入居時に換気制御装置２が外部ネットワークと接続されていないような場合には、非接続時制御によって、例えば、換気制御装置２と同一メーカーである換気装置の間などで、可能な範囲で連携して動作することができる。そして、換気制御装置２が外部ネットワークと接続可能となった後には自動的に外部サーバ６１を利用して、換気制御装置２と異なるメーカーが提供する換気装置も連携動作させることができる。当然ながら、外部ネットワークが開通してから改めて施工業者が訪問し、換気制御装置２の設定を変更するようなことも必要ない。
【００７３】
さらに、排気装置３に風量を一定に制御できる上述の機能提供部６６を利用することで、排気装置３の環境が変わった場合であっても、各排気装置３のダクト内の例えばダンパー等の抵抗（圧損）を調節・変更する必要が無く、施工業者の再訪問が不要になる。
【００７４】
従来に係る換気制御装置では、外部ネットワークと接続されていない場合には、換気装置７０は、単なる換気装置７０としてしか機能しなかった。本実施の形態に係る換気制御装置２によれば、換気制御装置２が外部ネットワークと接続されていない場合でも同一メーカーの換気装置７０の間で連携して動作することができる。さらに、本実施の形態に係る換気制御装置２が外部ネットワークと接続された場合には、外部サーバを利用することで、異なるメーカーの換気装置７０とも連携して動作することができる。以下、換気制御装置２が、外部ネットワークと接続されていない場合の非接続時制御処理及び外部ネットワークと接続されている場合の接続時制御処理について述べる。
【００７５】
[非接続時制御処理]
続いて、図３、図５、図９を参照しながら、換気制御装置２の非接続時制御プログラムに基づく非接続時制御処理について説明する。図９は、実施の形態に係る換気制御装置２の非接続時制御処理を示すフローチャートである。なお、換気制御装置２は、あらかじめ情報入力用端末８によって設定された目標排気総量４６と、目標排気総量４６を達成させる所定の時間Ｄ（所定時間に該当し、本実施の形態においては３時間）と、建物内で法令上の換気対象となる総体積を記憶部１０に記憶しているものとする。また、以下の処理は、例えば換気制御装置２に接続される複数の換気装置７０が対象である。しかし、換気制御装置２とメーカーが異なる換気装置７０が換気制御装置２に接続されている場合などには、換気制御装置２が外部サーバ６１に接続されていないと、換気制御装置２と同一メーカーの換気装置７０と連携できない場合がある。このような場合には、連携できる換気装置７０の間のみで連携するものとし、連携できない換気装置７０については換気制御装置２からオン・オフの制御のみが可能であるものとする。ここで、連携できる換気装置７０とは、例えば換気制御装置２と同一メーカーの換気装置のことであり、連携できない換気装置７０とは、例えば換気制御装置２と異なるメーカーの換気装置のことである。
【００７６】
換気制御装置２は、排気風量の制御を開始するべく起点Ａからタイマーを開始する（Ｓ２０１）。時間Ｄは起点Ａから３時間後を示し、タイマーが時間Ｄに到達した後はリセットされて再び０からタイマーを開始する。これらは時間Ｄの設定変更がない限り、ルーチンとして繰り返される。
【００７７】
ここで壁掛換気扇６が使用者の意思によってタイマー開始時の起点Ａから時間Ｂまで３０ｃｆｍの排気風量で運転し、時間Ｂで停止したと仮定する。この場合、起点Ａのタイミングで起点Ａの時刻と排気風量（３０ｃｆｍ）が、時間Ｂのタイミングでの時間Ｂの時刻と排気風量（０ｃｆｍ）が、それぞれ送信部２２から換気用受信部１５を経由して排気量取得部１７に送信される。
【００７８】
排気量取得部１７は、これら送信された情報に基づき、起点Ａから時間Ｂまでの既排気量を算出して積算部１８に送信する。当該算出は、換気装置７０から情報が得られていない起点Ａから時間Ｂの間も既に得られた条件（排気風量（３０ｃｆｍ））で動作しているものとして、所定の時間間隔（例えば１秒毎）で算出される。
【００７９】
積算部１８は、排気量取得部１７が取得した既排気量を足し合わせることにより、既排気総量４３を算出する（Ｓ２０２）。ここでは、壁掛換気扇６しか動作していないため、壁掛換気扇６の既排気量＝既排気総量４３となる。
【００８０】
なお、排気量制御部１１では、既排気総量４３が目標排気総量４６に到達しているか否かを常に監視する（Ｓ２０３）。
【００８１】
ここで、既排気総量４３が目標排気総量４６に到達していない場合、残排気総量算出部１９は、既排気総量４３と目標排気総量４６の差から残排気総量４４を算出する（Ｓ２０３Ｎｏ→Ｓ２０４）。また最短排気時間算出部２０は、換気制御装置２に接続されている排気装置３の最大排気能力によって残排気総量４４を排気する際に必要な最短排気時間４５を算出する（Ｓ２０５）。なお、最大排気能力は、天埋換気扇４が１５０ｃｆｍ、壁掛換気扇６が３０ｃｆｍ、レンジフード５が１５０ｃｆｍであるものとする。
【００８２】
続いて、排気設定部７１は、最短排気時間４５と時間Ｄまでに残された残時間４２とを比較する（Ｓ２０６）。ここで時間Ｂの時点では残時間４２が最短排気時間４５よりも十分に大きい場合、排気設定部７１は、現状の排気能力を維持する判断を行う（Ｓ２０６Ｎｏ→Ｓ２０２）。
【００８３】
その後、使用者によって換気装置７０の運転が行われないまま、残時間４２と最短排気時間４５が等しくなる時間Ｃに到達したとする。この場合、排気設定部７１は、各排気装置３に対して強制的に最大排気量で排気運転を開始（強制最短排気運転）するよう換気用送信部１６を介して指示を行う（Ｓ２０６Ｙｅｓ→Ｓ２０７）。
【００８４】
ここで、上記処理では最短排気時間４５と残時間４２の比較を行い、強制最短排気運転の開始を判断（Ｓ２０６）するとしたが、例えば排気装置３の最大排気能力と残時間４２の掛け算から得られる最大排気可能総量（図示せず）と、残排気総量４４とを比較してもよい。この場合、最大排気可能総量が残排気総量４４よりも大きい場合は現状を維持し、また最大排気可能総量が残排気総量４４と同等以下となった場合は強制最短排気運転を開始するもので同様の効果を実現できる。
【００８５】
上記指示に従い天埋換気扇４は１５０ｃｆｍ、壁掛換気扇６は３０ｃｆｍ、レンジフード５は１５０ｃｆｍ、すなわち最大排気量で時間Ｃから運転を開始する。これにより、時間Ｄにおいて目標排気総量４６に到達する（Ｓ２０７→Ｓ２０２→Ｓ２０３の繰り返し）。
【００８６】
その後、タイマーが時間Ｄに到達し、残排気総量４４及び残時間４２が０に到達し目標排気総量４６を満足したと判断すると、排気設定部７１は、強制最短排気運転を停止し、同時にタイマーと既排気総量４３を０にリセットする（Ｓ２０３→Ｓ２０８→Ｓ２０９→Ｓ２１２）。
【００８７】
図５において、所定３時間のうち時間Ｃから時間Ｄの最後の残時間４２で強制最短排気運転を行ったが、もし使用者の意思によって時間Ｂから時間Ｃの間に排気装置３のいずれか、もしくは複数台が運転し、強制最短排気運転を行うより以前に目標排気総量４６を満足する場合が想定される。このような場合には、排気設定部７１は、強制最短排気運転は行わず現状を維持するように排気装置３に指示を出す（Ｓ２０８→Ｓ２１０）。そしてそのまま３時間が経過すればタイマーと既排気総量４３を０にリセット（Ｓ２１１Ｙｅｓ→Ｓ２１２）する。
【００８８】
上記に示す処理により、換気制御装置２は、目標排気総量４６を所定時間内に満足するよう排気装置３の運転を制御することができる。またさらに、所定の３時間内で接続されるすべての排気装置３が運転した排気総量をカウントし、その排気総量が目標排気総量４６を大きく超過させることなく制御を行うことで省エネルギー効果を訴求することができる。なお、上記処理は非接続時制御処理ではあるが、外部サーバ６１と通信可能となった場合には、法令などにより変更される可能性のある所定時間（例えば３時間）や当該所定時間内に住宅内から排気すべき排気量を更新することで、最新の法令を順守した制御が可能となる。排気すべき排気量が更新された場合は、例えば既に記憶部１０に記憶されている総体積を利用して、制御部７３が取得した排気量と掛け算を行うことにより算出が可能である。なお、算出方法は法令などにより様々であるため限定しない。さらに、非接続時制御処理であるため、連携できない換気装置については既排気総量４３に考慮されていないが、法令順守の観点で見た場合には確実に目標排気総量４６の排気を達成することができる。
【００８９】
また給気装置７は、換気制御装置２から排気装置３（天埋換気扇４、壁掛換気扇６、レンジフード５）による総排気量の情報を、受信部２９を通じて受け取ることで、総排気量と同等量となる給気量を宅内に供給するよう働く。この給気装置７の動作は排気量と給気量のバランスをとることが目的であり、宅内が極端な負圧になることを防止する効果を提供するものである。
【００９０】
なお、上述した非接続時制御処理は以下の構成が示されている。つまり、排気設定部７１は、換気装置７０が複数種の排気能力を設定可能な場合にはオン時間に加えて当該排気能力も設定する。
【００９１】
また、排気設定部７１は、所定時間以内に既排気総量４３が目標排気総量４６を超えた場合には換気装置７０の排気を停止もしくは運転させない。
【００９２】
また、排気設定部７１は、残時間４２において、排気装置３の最大の排気能力で目標排気総量４６の排気総量を達成させる。
【００９３】
[接続時制御処理]
続いて、図２、図３を用いて換気制御装置２の接続時制御プログラムに基づく接続時制御処理について説明する。
【００９４】
判定部７７が外部サーバ６１と通信可能と判断した場合には、換気動作制御部７６は、接続時制御プログラムに基づいて動作する。当該動作においては様々な動作があるが、一例として、例えば同一の部屋に設けられたレンジフード５（第１の換気装置）と壁掛換気扇６（第２の換気装置）を例に挙げる。また、レンジフード５のメーカーと壁掛換気扇６のメーカーとは異なるとする。例えばレンジフード５が動作を開始すると、当該動作に関する情報である例えば排気能力や周囲温度などが、換気動作制御部７６を介してレンジフード５のメーカーの外部サーバ６１ａに送信される。外部サーバ６１ａは、受信した動作に関する情報を、壁掛換気扇６のメーカー、つまり、レンジフード５のメーカーとは異なるメーカーの外部サーバ６１ｂに送信する。当該外部サーバ６１ｂが、レンジフード５の動作に関する情報に基づいて、例えば壁掛換気扇６に動作を変更する命令を送信する。ここで動作を変更する命令とは、オン・オフの切替や風量変更などが含まれる。上記動作を変更する命令は、換気動作制御部７６が通信部９を介して外部サーバ６１ｂから受信し、通信部９を介して壁掛換気扇６に送信される。
【００９５】
壁掛換気扇６は、命令を受信すると、当該命令に応じて機能提供部６６を動作させる。これにより、異なるメーカーが提供する換気装置７０同士で連携動作が可能となる。
【００９６】
なお、接続時制御処理の詳細内容については、とくにこの制御に限定しないため、さらなる詳細については省略する。
【００９７】
[提供情報と演算部による省エネルギー制御]
図１０は、実施の形態に係る換気装置７０の提供情報の一例を示す図である。本実施の形態では、上記の換気装置７０、例えば天埋換気扇４及び壁掛換気扇６の記憶部２６、記憶部２７、記憶部３０で取り扱う提供情報４７の例は運転状況と排気風量とした。しかしながら、図１０に示すように、換気装置７０固有の製品情報５８と、換気装置７０の現在情報５９を提供情報４７として換気制御装置２に送信する構成としても良い。ここで、製品情報５８とは、製品ＩＤ５１と、換気装置７０が持つ設定可能な風量を示す排気能力５２と、換気装置７０が搭載しているセンサの種類を示す搭載センサ５３などがある。また、現在情報５９とは、現在の運転状況を示す現在風量５４と、搭載センサの検知状況を示すセンサ状態５５と、使用者が強制的に換気装置を運転させているか否かを示す強制運転５６と、現在風量での消費電力を示す消費電力５７などがある。
【００９８】
これら換気装置７０固有の製品情報５８と現在情報５９により、演算部７２は、例えば接続される個々の換気装置７０の電気特性を把握し、最も消費電力が少なくなる換気装置７０の組み合わせを選択することができる。これにより、換気制御装置２は、目標排気総量４６を満足するだけでなく、消費電力も抑制する排気制御を実現することも可能となる。
【００９９】
図１１は、実施の形態に係る換気制御装置２が選択する換気装置７０の組み合わせを示す図である。図１１には、宅内において所定時間内に必要な排気風量を２５０ｃｆｍとした場合の換気装置７０の組み合わせを示している。この場合、演算部７２は、個々の換気装置７０の風量とその消費電力の情報から消費電力が最も低くなる最適な組み合わせ６５を選択し、換気装置７０を制御することが実現可能となる。
【産業上の利用可能性】
【０１００】
以上のように、本発明に係る換気制御装置、換気システムは、外部サーバへの接続状況に応じて動的に換気装置の制御を変更できるため、戸建て住宅やマンション等の複合住宅に適用可能である。
【符号の説明】
【０１０１】
１    一般住宅
２    換気制御装置
３    排気装置
４    天埋換気扇
５    レンジフード
６    壁掛換気扇
７    給気装置
８    情報入力用端末
９    通信部
１０，２６，２７，３０    記憶部
１１    排気量制御部
１２    ブロードバンド用送受信部
１３    排気能力記憶部
１４    目標排気総量記憶部
１５    換気用受信部
１６    換気用送信部
１７    排気量取得部
１８    積算部
１９    残排気総量算出部
２０    最短排気時間算出部
２２，２３，２８    送信部
２４，２５，２９    受信部
３１    ＣＰＵ
３２    ＲＡＭ
３３    ＲＯＭ
３４    ＨＤＤ
３６    無線通信モジュール
３７    有線通信モジュール
３８    宅内ネットワーク
４０    マイクロコンピュータ
４１    内部バス
４２    残時間
４３    既排気総量
４４    残排気総量
４５    最短排気時間
４６    目標排気総量
４７    提供情報
５１    製品ＩＤ
５２    排気能力
５３    搭載センサ
５４    現在風量
５５    センサ状態
５６    強制運転
５７    消費電力
５８    製品情報
５９    現在情報
６０    外部ネットワーク
６１    外部サーバ
６５    組み合わせ
６６    機能提供部
７０    換気装置
７１    排気設定部
７２    演算部
７３    制御部
７４    非接続時制御記憶部
７５    接続時制御記憶部
７６    換気動作制御部
７７    判定部
７８    制御決定部
７９    変更確認部
８０    モータ
８１    モータ制御回路
８２    固定子
８３    回転子
８４    交流変換回路
８５    平滑コンデンサ
８６    インバータ回路
８７ａ，８７ｂ，８７ｃ，８７ｄ，８７ｅ，８７ｆ    スイッチング素子
８８    第１アーム
８９    第２アーム
９０    第３アーム
９１    シャント抵抗
９２    増幅部
９３    電流検出部
９４    回転検出部
９５    風量演算部
９６    速度制御部
９７    目標風量演算部
９８    増幅率変更部
【図１】
2017159208.tif 000003
【図２】
2017159208.tif 000004
【図３】
2017159208.tif 000005
【図４】
2017159208.tif 000006
【図５】
2017159208.tif 000007
【図６】
2017159208.tif 000008
【図７】
2017159208.tif 000009
【図８】
2017159208.tif 000010
【図９】
2017159208.tif 000011
【図１０】
2017159208.tif 000012
【図１１】
2017159208.tif 000013
【国際調査報告】
2017159208.tif 000014
2017159208.tif 000015